(57)【要約】  異なる第１伝送パスと第２伝送パスとの間の時間遅延を判定するシステム。第１伝送パスをビデオ信号のパスとし、第２伝送パスを対応のオーディオ信号のパスとすることができる。本システムは、送信器及び受信器を有し、送信器は、第１伝送パスにおいて所定の第１信号を伝送する伝送機能及び該伝送機能に略同時に第１時点でタイマを開始する開始機能と、受信器により第２信号の受信の確認応答のために待機し、その確認応答が、時間遅延と比較して略皆無の遅延を示す返信伝送パスに従って送信されるようにした待機機能と、確認応答の受信により第２時点でタイマを停止する停止機能と、第２時点と第１時点との差として時間遅延を計算する計算機能と、第２伝送パスを介して第２信号の伝送を遅らせるために遅延ユニットにおいて時間遅延を記憶する記憶機能とを有する。受信器は、第１信号を受信する受信機能と、第１信号がメモリに記憶された基準信号と等しいかどうかを確認する確認機能と、当該確認において等しい場合に返信伝送パスに従って送信器に受信の確認応答を送信する送信機能とを有する。
2008507183.tif 000002
【特許請求の範囲】
【請求項１】
送信器と受信器との間の異なる第１の伝送パスと第２の伝送パスとの間の時間遅延を判定する方法であって、
ａ．  第１の時点でタイマを略同時に開始し前記送信器から前記受信器に所定の第１の信号を第１の伝送パスにより送信し、
ｂ．  前記受信器により前記第１の信号を受信し、
ｃ．  前記第１の信号がメモリに記憶された基準信号と等しいかどうかを前記受信器により確認し、
ｄ．  当該確認において等しいことが確認された場合に、前記時間遅延と比較して略皆無の遅延を示す返信伝送パスに従って前記受信器から前記送信器へ前記受信の確認応答を送信し、
ｅ．  前記送信器による前記確認応答の受信により、第２の時点において前記タイマを停止し、
ｆ．  前記第２の時点と前記第１の時点との差として前記時間遅延を計算し、
ｇ．  前記第２の伝送パスを介して第２の信号の伝送を遅らせるために遅延ユニットにおいて前記時間遅延を記憶する、
方法。
【請求項２】
請求項１に記載の方法であって、前記動作ａ．ないしｇ．の前に、
・  前記送信器から前記受信器へ前記第１の伝送パスにおいて基準信号を伝送し、
・  前記基準信号が前記受信器により受信され記憶されることを可能にするように所定の期間において待機し、
・前記所定の期間の後に前記タイマを開始する、
方法。
【請求項３】
請求項１に記載の方法であって、前記基準信号は、前記動作ａ．ないしｇ．の前に前記メモリに既に存在する、方法。
【請求項４】
請求項１に記載の方法であって、前記動作ａ．ないしｇ．は、特定の時間期間の間に行われる、方法。
【請求項５】
請求項１に記載の方法であって、前記第１の伝送パスは、無線リンクを有する、方法。
【請求項６】
請求項１に記載の方法であって、前記第１の信号はビデオ信号であり、前記第２の信号はオーディオ信号である、方法。
【請求項７】
送信器及び受信器を有し、異なる第１の伝送パスと第２の伝送パスとの間の時間遅延を判定するシステムであって、前記送信器は、
・  第１の伝送パスにおいて所定の第１の信号を伝送する伝送機能及びこの伝送機能に略同時に第１の時点でタイマを開始する開始機能と、
・  前記受信器により前記第２の信号の受信の確認応答のために待機し、その確認応答が、前記時間遅延と比較して略皆無の遅延を示す返信伝送パスに従って送信されるようにした待機機能と、
・  前記確認応答の受信により第２の時点で前記タイマを停止する停止機能と、
・  前記第２の時点と前記第１の時点との差として前記時間遅延を計算する計算機能と、
・  前記第２の伝送パスを介して第２の信号の伝送を遅らせるために遅延ユニットにおいて前記時間遅延を記憶する記憶機能と、
を有し、前記受信器は、
・  前記第１の信号を受信する受信機能と、
・  前記第１の信号がメモリに記憶された基準信号と等しいかどうかを確認する確認機能と、
・当該確認において等しいことが確認された場合に、前記返信伝送パスに従って前記送信器に前記受信の確認応答を送信する送信機能と、
を有する、
システム。
【請求項８】
送信器であって、
・  第１の伝送パスにおいて基準信号を伝送する伝送機能と、
・  前記受信器により前記基準信号が受信され記憶されることを可能とするために所定の期間において待機する待機機能と、
・  前記基準信号に等しい第１の信号を伝送する伝送機能及び前記所定の期間の後に第１の時点においてタイマを略同時に開始させる開始機能と、
・  前記受信器により前記第１の信号の受信の確認応答のために待機し、その際に、その確認応答が、前記時間遅延と比較して略皆無の遅延を示す返信伝送パスに従って送信されるようにした待機機能と、
・  前記確認応答の受信により第２の時点で前記タイマを停止する停止機能と、
・  前記第２の時点と前記第１の時点との差として前記時間遅延を計算する計算機能と、
・  前記第２の伝送パスを介して第２の信号の伝送を遅らせるために遅延ユニットにおいて前記時間遅延を記憶する記憶機能と、
を有する送信器。
【請求項９】
受信器であって、
・  送信器から基準信号を受信する受信機能と、
・  メモリに前記基準信号を記憶する記憶機能と、
・  前記送信器から第１の信号を受信する受信機能と、
・  前記第１の信号が前記メモリに記憶された基準信号と等しいかどうかを確認する確認機能と、
・当該確認において等しいことが確認された場合に、返信伝送パスに従って前記送信器に前記第１の信号の受信の確認応答を送信する送信機能と、
を有する受信器。
【請求項１０】
請求項１に記載の方法を実行するためのデータ及び命令を有するコンピュータプログラム製品。
【発明の詳細な説明】
【技術分野】
【０００１】
本発明は、少なくとも２つの異なる伝送経路の間の時間遅延を判定するシステムに関し、特に送信器及び受信器を有するものに関する。また、本発明は、少なくとも２つの異なる伝送経路の間の時間遅延を判定する方法、コンピュータプログラム製品、送信器及び受信器に関する。
【背景技術】
【０００２】
電子機器産業におけるよく知られた問題は、異なる信号の処理時間が異なる可能性があるということである。処理時間は、状況に応じて、以下のように、装置内で信号を処理するのに必要な時間及びリンク上で信号を伝送するのに必要な時間の双方を指す場合がある。特にオーディオビデオ装置では、オーディオ信号の処理時間がビデオ信号の処理時間と異なる。通常、ビデオ信号の処理時間はオーディオ信号の処理時間よりも（かなり）長い。例えば、ビデオ信号の圧縮及び伸張の動作によって長い処理時間が生じることがある。オーディオ信号とビデオ信号との処理時間の差は、２つの信号間の同期の許容できないロスを生じうる。これは、最終的に、例えばテレビで映画を観ている人が、或る音声に対応する画像を未だ見ていないのにその音声を既に聞いてしまうことを意味している。このような状況は回避されなければならない。
【０００３】
こうした問題に取り組むシステムが、特に、欧州特許出願に係る文献のＥＰ１１０４１７９から知られている。この刊行物は、オーディオ処理ユニットを通じる信号の伝送時間とビデオ処理ユニットを通じる信号の伝送時間とを測定する装置を記述している。オーディオ及びビデオ信号の伝送時間の差に基づいて、オーディオ信号は、当該ビデオ信号に対して遅延させられる。ビデオ処理ユニットにおける伝送時間は、次のようにして測定される。マイクロコンピュータは、ビデオ処理ユニット及びオーディオ処理ユニットの双方に接続される。このマイクロコンピュータは、基準信号をビデオ処理ユニットに入力し、タイマをｔ＝ｔ０でスタートさせる。その後にマイクコンピュータは、基準信号の受信のためにビデオ処理ユニットの出力を監視する。基準信号が受信されると、マイクロコンピュータは当該タイマをｔ＝ｔ１で停止する。結果として得られる時間差Δｔ＝ｔ１−ｔ０はビデオ処理ユニットを経た伝送時間である。オーディオユニットを経た伝送時間は、同様に判定される。それぞれのビデオ及びオーディオ伝送時間から、それぞれの伝送時間の差が計算される。この差がオーディオ信号を遅延させるために用いられる。
【０００４】
しかしながら、ＥＰ１１０４１７９によるシステムは、不利な点がある。ビデオ伝送及びオーディオ伝送ユニットの双方において測定を行わなければならない。これは、時間のかかるものであり、システムを複雑にする。例えば、それぞれのユニットの出力からマイクロプロセッサまで、追加のリンクが必要である。さらにこのシステムは、処理により生じる伝送時間の差しか確定できない。すなわちビデオ及びオーディオ信号を伝送する場合に用いられる物理的リンクの差によって生じる伝送時間の差は確定できないのである。これは、ＥＰ１１０４１７９によるシステムは、例えば、当該ビデオ信号が銅製の配線を介して伝送されオーディオ信号がグラスファイバを介して伝送されるという状況によって生じる同期エラーについて補正することができないことを意味している。或いは、ビデオ信号は、天井に取り付けられたプロジェクタに無線で伝送されるのに対し、オーディオ信号は銅製の配線を通じてステレオセットに伝送される。また、ＥＰ１１０４１７９は、或る特定の種類の民生電子機器すなわちテレビにしか関連していない。
【発明の開示】
【発明が解決しようとする課題】
【０００５】
したがって本発明の目的は、汎用性のある高速で効率的な態様で少なくとも２つの信号の処理時間差を判定するための装置及び方法を提供することである。
【課題を解決するための手段】
【０００６】
かかる目的のため、本発明は、
送信器と受信器との間の異なる第１の伝送パスと第２の伝送パスとの間の時間遅延を判定する方法であって、
ａ．  第１の時点でタイマを略同時に開始し前記送信器から前記受信器に所定の第１の信号を第１の伝送パスにより送信し、
ｂ．  前記受信器により前記第１の信号を受信し、
ｃ．  前記第１の信号がメモリに記憶された基準信号と等しいかどうかを前記受信器により確認し、
ｄ．  当該確認において等しいことが確認された場合に、前記時間遅延と比較して略皆無の遅延を示す返信伝送パスに従って前記受信器から前記送信器へ前記受信の確認応答を送信し、
ｅ．  前記送信器による前記確認応答の受信により、第２の時点において前記タイマを停止し、
ｆ．  前記第２の時点と前記第１の時点との差として前記時間遅延を計算し、
ｇ．  前記第２の伝送パスを介して第２の信号の伝送を遅らせるために遅延ユニットにおいて前記時間遅延を記憶する、
方法を指向する。
【０００７】
一実施例において、本発明は、
送信器及び受信器を有し、異なる第１の伝送パスと第２の伝送パスとの間の時間遅延を判定するシステムであって、前記送信器は、
・  第１の伝送パスにおいて所定の第１の信号を伝送する伝送機能及びこの伝送機能に略同時に第１の時点でタイマを開始する開始機能と、
・  前記受信器により前記第２の信号の受信の確認応答のために待機し、その確認応答が、前記時間遅延と比較して略皆無の遅延を示す返信伝送パスに従って送信されるようにした待機機能と、
・  前記確認応答の受信により第２の時点で前記タイマを停止する停止機能と、
・  前記第２の時点と前記第１の時点との差として前記時間遅延を計算する計算機能と、
・  前記第２の伝送パスを介して第２の信号の伝送を遅らせるために遅延ユニットにおいて前記時間遅延を記憶する記憶機能と、
を有し、前記受信器は、
・  前記第１の信号を受信する受信機能と、
・  前記第１の信号がメモリに記憶された基準信号と等しいかどうかを確認する確認機能と、
・当該確認において等しいことが確認された場合に、前記返信伝送パスに従って前記送信器に前記受信の確認応答を送信する送信機能と、
を有する、
システムに関する。
【０００８】
この方法及び装置は、高速で簡単である。このシステムは、源のソースとオーディオ及びビデオ信号の最終的な伝送先との間において複数の異なる装置及び複数の異なるリンクを有するオーディオ／ビデオチェーンにおいて用いることができる。本発明は、概してオーディオ信号とビデオ信号との間の遅延は、ビデオ信号の処理により生じ、すなわちビデオ信号の遅延はオーディオ信号の遅延よりも非常に大きなものであるという洞察に基づいている。本発明はまた、それぞれの伝送パスの間に伝送時間差が存在する異なる伝送パスを有するあらゆるシステムに用いることもできる。例えば、異なるパスを介して８つのスピーカに接続されるオーディオ源がある。
【０００９】
これにより、異なるタイプの伝送パスのために異なるタイプの基準信号が用いられる必要性が出てくるので、高い汎用性を奏する。ビデオ伝送パスについては、一般に知られたテストチャートを使うことができるのに対し、オーディオ伝送パスについては１ｋＨｚの音声を用いることができる。
【００１０】
他の実施例において、本発明は、
送信器であって、
・  第１の伝送パスにおいて基準信号を伝送する伝送機能と、
・  前記受信器により前記基準信号が受信され記憶されることを可能とするために所定の期間において待機する待機機能と、
・  前記基準信号に等しい第１の信号を伝送する伝送機能及び前記所定の期間の後に第１の時点においてタイマを略同時に開始させる開始機能と、
・  前記受信器により前記第１の信号の受信の確認応答のために待機し、その際に、その確認応答が、前記時間遅延と比較して略皆無の遅延を示す返信伝送パスに従って送信されるようにした待機機能と、
・  前記確認応答の受信により第２の時点で前記タイマを停止する停止機能と、
・  前記第２の時点と前記第１の時点との差として前記時間遅延を計算する計算機能と、
・  前記第２の伝送パスを介して第２の信号の伝送を遅らせるために遅延ユニットにおいて前記時間遅延を記憶する記憶機能と、
を有する送信器を指向する。
【００１１】
さらに他の実施例において、本発明は、受信器であって、
・  送信器から基準信号を受信する受信機能と、
・  メモリに前記基準信号を記憶する記憶機能と、
・  前記送信器から第１の信号を受信する受信機能と、
・  前記第１の信号が前記メモリに記憶された基準信号と等しいかどうかを確認する確認機能と、
・当該確認において等しいことが確認された場合に、返信伝送パスに従って前記送信器に前記第１の信号の受信の確認応答を送信する送信機能と、
を有する受信器を指向する。
【００１２】
またさらに他の実施例において、本発明は、前記基準信号が当該ａ．〜ｇ．の動作の前に前記メモリに既に存在することを特徴としている。これにより、簡単に利用可能な所定の「標準」信号の利点を奏する。
【００１３】
別の実施例において、本発明は、前記動作ａ．〜ｇ．が特定の時間期間において行われることを特徴としている。これにより、時間上の時間遅延の変化が補正可能となるという利点を奏する。
【００１４】
本発明はまた、上述した方法を実行するデータ及び命令を有するコンピュータプログラム製品に関する。
【００１５】
以下、添付図面を参照して本発明を説明する。
【００１６】
図において、同じ参照符号は同じ部分を示している。
【発明を実施するための最良の形態】
【００１７】
［実施例１］
図１に関連して本発明の第１の実施例を説明する。図１には、異なる２つの信号を同期化するためのシステム１９が示される。システム１は、「送信器」と書かれた送信部と、「受信器」と書かれた受信部とを有する。システム１９はさらに、同期化された信号が受信される場合の介在部となる入力１を有する。入力１を介して、複数の同期化された信号がシステム１９に入力可能である。以下の説明では、ビデオ信号Ｖｉｎ及びオーディオ信号Ａｉｎについて述べる。さらに、ビデオ信号は、Ｖｉｎ（ｉ）と示される。本発明は、２つの信号だけの同期に限定されるものではないし、オーディオ又はビデオ信号だけの同期にも限定されるものではないことは明らかである。特にビデオ信号は大量の処理（例えば圧縮／伸張）が施されるのが普通なので、この実施例ではビデオ信号が選ばれている。ビデオ信号Ｖｉｎは、マイクロプロセッサ５に入力される。タイマ３及び遅延ユニット７は、マイクロプロセッサ５に接続される。また、リンク１５は、一端においてマイクロプロセッサ５に接続され、他端において他の下流マイクロプロセッサ１１に接続される。このマイクロプロセッサ１１は、メモリ９に接続される。マイクロプロセッサ１１は、出力１３にビデオ信号Ｖｏｕｔ（又は略して信号Ｖｏｕｔ）を出力する。マイクロプロセッサ５、リンク１５及びマイクロプロセッサ１１の組み合わせ体は、通信パス又は伝送パス１４を構成する。オーディオ信号Ａｉｎは、遅延ユニット７に供給され、信号Ａｏｕｔとして遅延ユニット７から出力される。遅延ユニット７は、当該信号がさらに伝送される前に暫くの間、そこに一時的に記憶される信号をバッファリングするためのバッファメモリとすることができる。遅延ユニット７は独立したユニットとして示されているが、遅延ユニット７をマイクロプロセッサ５の一部とすることができることは明らかである。信号Ａｏｕｔは、通信パス１６により送信される。信号Ａｏｕｔ及び信号Ｖｏｕｔは、同じ出力１３に供給される。
【００１８】
マイクロプロセッサ５及びマイクロプロセッサ１１の双方は、以下に詳しく説明するようなそれぞれの機能を行うためのハードウェア又はソフトウェアの構成要素による機能を有する。当業者であれば、ハードウェア及びソフトウェア構成要素の組み合わせにより、本発明の機能を達成することもできることが分かる筈である。当業者には知られているように、アナログ又はディジタルのハードウェア構成要素をマイクロプロセッサ５，１１の中に設けるようにしてもよいし、或いはマイクロプロセッサ５，１１とインターフェースが形成される分離した回路として設けるようにしてもよい。さらに、当業者であれば、ソフトウェア構成要素をマイクロプロセッサ５，１１のメモリ領域に設けることができることも明らかである。
【００１９】
図３は、マイクロプロセッサ５及び１１の双方の実現形態において用いることができるマイクロプロセッサの一例を示している。図３は、メモリ２０に接続されるプロセッサ１８を備えたマイクロプロセッサを示している。
【００２０】
メモリ２０は、ハードディスクや読出専用メモリ（ＲＯＭ）、電気的消去可能型プログラマブル読出専用メモリ（ＥＥＰＲＯＭ）、ランダムアクセスメモリ（ＲＡＭ）を含む複数のメモリ構成部を有することができる。これらメモリタイプの全てが必ずしも設けられなければならない訳ではない。さらに、これらメモリ構成要素は、プロセッサ１８に物理的に近いところに位置づける必要はなく、プロセッサ１８から離れたところに位置づけられるようにしてもよい。
【００２１】
プロセッサ１８はまた、キーボードやマウスなどによりユーザによって命令やデータなどを入力するための装置に接続されるようにしてもよい。当業者に知られているタッチスクリーン、トラックボール及び／又は音声変換器などの他の入力装置を設けるようにしてもよい。
【００２２】
読出ユニットがプロセッサ１８に接続されてもよい。このような読出ユニットは、フロッピーディスク又はＣＤＲＯＭのようなデータ担体における恐らくは書込データからデータを読み出すように構成される。他のデータ担体には、当業者に知られているようなテープ、ＤＶＤ、メモリスティックなどもある。プロセッサ１８はまた、紙に出力データを印刷するプリンタの他に、例えばＣＲＴ（陰極線管）モニタ又はＬＣＤ（液晶表示）スクリーン、或いは当業者に知られている他のタイプのディスプレイなどの表示器にも接続可能である。
【００２３】
当業者であれば、マイクロプロセッサ１８を、ディジタル信号処理器としたり又はこれを有するものとすることができることが明らかである。
【００２４】
システム１９は、次のように機能する。マイクロプロセッサ５は、リンク１５を介してマイクロプロセッサ１１にビデオ信号を送る送信機能を用いる。このビデオ信号は、プロセッサ１１のメモリ９内にある或る種の所定基準信号と等しい。マイクロプロセッサ５によりビデオ信号が同時に送られると、マイクロプロセッサ５は開始機能によりタイマ３をスタートさせる。当該信号をリンク１５を介して送信するための送信機能は、マイクロプロセッサ５内にモジュール領域５ａにより象徴的に示されており、タイマ３のスタート動作のための開始機能は、矢印ＳＴにより示されている。マイクロプロセッサ１１におけるモジュール領域１１ａにより示されるような受信機能を用いるマイクロプロセッサ１１により完全な基準ビデオ信号が受信された後に、マイクロプロセッサ１１は、メモリ９に記憶された所定の基準信号を受信した基準信号と比較することによって監視処理を扱い、マイクロプロセッサ１１は、プロセッサ５に確認応答（アクノリッジメント）信号を送る送信機能を用いる。かかる比較機能又は比較器は、モジュール領域１１ｂによって象徴的に描かれている。確認応答信号の送信のための送信機能は、モジュール領域１１ｃによって象徴的に描かれている。この確認応答信号は、マイクロプロセッサ５により概して即座に受信されることになる短い簡単な信号である。確認応答信号の受信のための受信機能は、マイクロプロセッサ５におけるモジュール５ｂにより象徴的に示される。マイクロプロセッサ５からマイクロプロセッサ１１に送られる基準信号に対する比較において、マイクロプロセッサ１１からマイクロプロセッサ５に送られる確認応答信号は、マイクロプロセッサ５による遅延を実質的に伴うことなく受信される。通常、確認応答信号は、マイクロプロセッサ１１からマイクロプロセッサ５に１μ秒で送られるのに対し、基準信号は、マイクロプロセッサ５からマイクロプロセッサ１１に５００μ秒で送られる。但し、これらの時間は大幅に変わる可能性があり、当該確認応答信号は、基準信号の最大１０６倍速く送られることもある。当該確認応答信号の受信により、マイクロプロセッサ５はタイマ３を停止させる。かかる停止機能は、モジュール５ｃにより示される。確認応答信号は、マイクロプロセッサ５へリンク１５を介して、或いは異なる返信伝送パス及び／又は独立した返信伝送パスを介して送られるようにしてもよい。その後、マイクロプロセッサ５は、タイマ３により登録された時間量（Ｔdelay）を遅延ユニット７へ供給する。タイマ３により登録された時間量（Ｔdelay）を遅延ユニット７へ供給する機能は、矢印ＴＤにより示される。
【００２５】
入力１を介した信号入力は、オーディオ信号Ａｉｎとビデオ信号Ｖｉｎに分離される。オーディオ信号Ａｉｎは、ビデオ信号Ｖｉｎに対してＴdelayだけ遅延される。但しこれは、出力１３においてこれら信号の双方が再び同期化されることになることを意味するものである。本発明の目的は、ビデオ信号がパス１４において伝送されつつ被った遅延の合計を計算し、対応する時間量だけパス１６において伝送されるオーディオ信号を遅らせることである。基準信号は、マイクロプロセッサ１１によりメモリ９に記憶される（記憶機能はモジュール１１ｄにより象徴的に示される）。ここで、基準信号はビデオ画像とされる。基準信号は、マイクロプロセッサ５により処理され、リンク１５により伝送され、マイクロプロセッサ１１により処理されることになる。これにより、例えばパス１６において伝送されるオーディオ信号に基づいて基準信号が遅延させられることとなる。
【００２６】
［実施例２］
所定の基準信号をメモリ９に伝送する１つの方法は、次のようにすることができる。全く任意の基準信号又はテスト信号とすることができる所定の基準信号は、システム１９が上記実施例１について説明したように実際に動作する前に、伝送パス１４においてメモリ９へマイクロプロセッサ５により伝送される。この信号は、受信機能１１ａを用いてマイクロプロセッサ１１により受信され、記憶機能１１ｄを用いてメモリ９に記憶されることになる。そして、マイクロプロセッサ５は、完成した形の基準信号がマイクロプロセッサ１１により受信されることができるのに十分長く選択された所定期間についての待機機能（モジュール５ｄにより示される）を用いて待機する。この所定期間は、時間期間Ｔwaitとして示される。この時間Ｔwaitは、完成した形の基準信号が記憶機能１１ｄを用いてマイクロプロセッサ１１によりメモリ９に記憶されることができるのに十分に長く選択されなければならない。代表値としては、Ｔwaitは０．５秒である。但し原則として、タイマ３が開始可能となるまで、期間Ｔwaitの間待機する必要はない。マイクロプロセッサ１１によりメモリに基準信号を記憶する処理を、基準信号の第２の伝送と部分的又は完全に同時に実行させることができる。
【００２７】
［実施例３］
上述した実施例２の代替例として、所定の基準信号を予めメモリ９に既に記憶されている信号としてもよい。したがって基準信号は、例えば当該レシーバの製造の間にメモリ９に記憶される信号とすることができる。これにより、簡単に利用可能な「標準」信号の利点を奏する。
【００２８】
［実施例４］
本発明の他の実施例において、システム１９は、システム１９の動作において特定の期間の間にのみ時間Ｔdelayを判定するように構成される。例えば、システム１９は、システム１９のスタートアップにおいて（又は付加的及び代替的に規則的時間間隔で）オーディオ信号とビデオ信号との伝送時間差を判定する計算機能を用いる。これは、概して伝送パス１４がシステム１９の動作中に時間Ｔdelayの適応を必要としうるので有利である。
【００２９】
［実施例５］
伝送パス１４は、無線のリンクを部分的に有するものとしてもよい。例えば衛星リンクがある。他のリンクも本発明の範囲内にあると考えられる。
【００３０】
［実施例６］
前述したシステムは、図２においてさらに詳説されるような処理に用いることができる。図２は、信号の同期のための方法のフローチャートである。以下では、当方方法をそれぞれの動作２１ないし６１を参照して説明する。この方法は、動作２１において開始する。動作２５において、基準信号（のタイプ）が選ばれる。これは、例えばマイクロプロセッサ５により行われるようにしてもよい。特定のタイプの基準信号は、伝送パスの特定タイプに適合したものとすることができる。ビデオ伝送パスについては、基準用の一般的に知られているテストチャートを使うことができるのに対し、基準用のオーディオ伝送パスについては１ｋＨｚの音声を用いることが可能である。動作２３において、特定のタイプのパスが選ばれる。この動作も、マイクロプロセッサ５により実行可能である。但し、この動作は、オプションであり、複数の伝送パスを備えるシステム１にのみ当てはまる。動作２３及び動作２５は、順次に又は略同時に行うことが可能である。マイクロプロセッサ５による基準信号の処理は、動作２７において行われる。そして動作２９では、所定の基準信号が、マイクロプロセッサ１１へリンク１５を介して伝送機能５ａを用いてマイクロプロセッサ５により伝送され、動作４９において受信機能１１ａを用いてマイクロプロセッサ１１により受信される。この信号は、今回はマイクロプロセッサ１１により動作５１において再び処理され、動作５３において記憶機能１１ｄを用いてメモリ９に記憶される。一方、マイクロプロセッサ５は、少なくとも動作４９，５１及び５３がマイクロプロセッサ１１により完了させられるのに十分長い期間において待機する。そして、動作３３において同じ基準信号がリンク１５を介してマイクロプロセッサ５により伝送機能５ａを用いて再び送られ、これと実質的に同時に動作３５において、タイマ３は、ＳＴで示されるように開始させられる。もう１度、動作５５において受信機能１１ｄを用いてマイクロプロセッサ１１により受信され動作５７において処理されるように、基準信号は、動作３７において処理され、リンク１５を介して動作３９において伝送される。動作５５，５７は、マイクロプロセッサ１１により行われる。動作５７の完了により、確認応答信号は、マイクロプロセッサ１１によりマイクロプロセッサ５に伝送される。なお、前述した内容は、実効的なエラーのない通信パス１４を前提としている。但し、この発明を、通信パス１４が全て機能していない場合に拡張することも明らかなことである。その場合、基準信号は、エラーのない形では受信されず（テスト信号どうしが１対１で合致しない状況となる）、破棄されなければならない。そして、当該パスは、時間Ｔdelayの再計算を始めることができる前に固定化されなければならない。当該確認応答信号の受信５ｂにより、タイマ３が停止させられる（動作４１）。当該タイマにより登録された時間は、ＴＤにより示されるように動作４３において遅延ユニット７に供給される。他のパスが同期化される必要がある場合、当該フローが動作２３に継続するようにしてもよい。但し、後の動作４５はオプションである。この方法は、システム１９のマイクロプロセッサ５及びマイクロプロセッサ１１に���いて、それぞれ動作４７及び６１で終了する。
【００３１】
実施例３に見られるように所定の基準信号がプロセッサ９のメモリに予め存在する場合、動作２３ないし３１（及び４９ないし５３）は省略可能である。また、動作２１ないし６１は、簡単な参照のために番号付けられているものであり、特定の時系列上の順序を表すものではない。
【図面の簡単な説明】
【００３２】
【図１】本発明による装置のブロック図。
【図２】図１に示される装置により行われる動作のフローチャート。
【図３】マイクロプロセッサの実現形態を示す図。
【図１】
2008507183.tif 000003
【図２】
2008507183.tif 000004
【図３】
2008507183.tif 000005
【国際調査報告】
2008507183.tif 000006
2008507183.tif 000007
2008507183.tif 000008